(57)【要約】【課題】  インターロック条件や留意事項などの制約を反映して操作手順書を作成することができる操作手順書作成支援システムおよび操作手順書作成支援方法を提供する。【解決手段】  電力系統に設けられている設備を停止または復旧するために操作される電力系統機器の操作手順書を作成する操作手順書作成支援システムであって、電力系統機器を操作する際の留意事項を表すデータを記憶するデータベースサーバ２０と、設備を停止または復旧するために操作される電力系統機器が指定されると、データベースサーバ２０から電力系統機器に対応する留意事項を表すデータを読み出し、データを用いて電力系統機器の操作手順と共に留意事項を操作手順書に加えるコンピュータ１０とを備える。【選択図】  図１
2009038923.tif 000002
【特許請求の範囲】
【請求項１】
電力系統に設けられている設備を停止または復旧するために操作される電力系統機器の操作手順書を作成する操作手順書作成支援システムであって、
前記電力系統機器を操作する際の留意事項を表すデータを記憶する記憶手段と、
前記設備を停止または復旧するために操作される電力系統機器が指定されると、前記記憶手段から該電力系統機器に対応する留意事項を表すデータを読み出し、該データを用いて該電力系統機器の操作手順と共に該留意事項を前記操作手順書に加える処理手段と、
を備えることを特徴とする操作手順書作成支援システム。
【請求項２】
前記記憶手段が記憶する留意事項を表すデータは、前記留意事項の内容を表す項目データと、該項目データを前記操作手順書の一連の操作手順に反映するための表示位置を表す表示位置データとを含み、
前記処理手段は、前記電力系統機器の操作内容と共に前記留意事項を操作手順書に加える際に、前記表示位置データで指定された表示位置に前記項目データの内容を加える、
ことを特徴とする請求項１に記載の操作手順書作成支援システム。
【請求項３】
電力系統に設けられている設備を停止または復旧するために操作される電力系統機器の操作手順書を作成する操作手順書作成支援システムであって、
前記電力系統機器を操作する際のインターロック条件を表すデータを記憶する記憶手段と、
前記設備を停止または復旧するために操作される電力系統機器が指定されると、前記記憶手段から該電力系統機器に対応するインターロック条件を表すデータを読み出し、該データを用いて該電力系統機器の操作内容が該インターロック条件を満足するかどうかを判定する処理手段と、
を備えることを特徴とする操作手順書作成支援システム。
【請求項４】
電力系統に設けられている設備を停止または復旧するために操作される電力系統機器の操作手順書を作成する操作手順書作成支援方法であって、
前記電力系統機器を操作する際の留意事項を表すデータを記憶し、
前記設備を停止または復旧するために操作される電力系統機器が指定されると、前記記憶手段から該電力系統機器に対応する留意事項を表すデータを読み出し、
前記読み出したデータを用いて前記電力系統機器の操作手順と共に該留意事項を前記操作手順書に加える、
ことを特徴とする操作手順書作成支援方法。
【請求項５】
電力系統に設けられている設備を停止または復旧するために操作される電力系統機器の操作手順書を作成する操作手順書作成支援方法であって、
前記電力系統機器を操作する際のインターロック条件を表すデータを記憶し、
前記設備を停止または復旧するために操作される電力系統機器が指定されると、該電力系統機器に対応するインターロック条件を表すデータを読み出し、
前記読み出したデータを用いて前記電力系統機器の操作内容が前記インターロック条件を満足するかどうかを判定する、
ことを特徴とする操作手順書作成支援方法。
【発明の詳細な説明】
【技術分野】
【０００１】
この発明は、電力系統の設備を停止または復旧する際に、操作される電力系統機器の操作手順を表す操作手順書を作成する操作手順書作成支援システムおよび操作手順書作成支援方法に関する。
【背景技術】
【０００２】
電力系統は電力を発電所から需要家に送るシステムである。電力系統は各種の設備で構成され、電力系統を構成する設備として、トランス、リレーや遮断器などの電力系統機器や、母線などがある。電力系統を運営するために、例えばトランスを停止する作業、つまり、トランスに対する停電作業が行われる場合がある。トランスに対する通電を停止するために、制御所からの制御によって電気所の遮断器などを開閉する。このとき、電気の需要家である顧客に対する停電を防ぐために、遮断器などの電力系統機器に対する操作手順を決めて、電力系統機器の操作手順書を作成する必要がある。
【０００３】
通常、操作手順書は制御所の操作員などによって作成されるが、電力系統機器として各種のトランスや遮断器などが用いられ、これらの操作手順を作成する操作員の負担を軽減するために、コンピュータを用いて、操作手順書を自動で作成する方法がある（例えば、特許文献１参照。）。この方法によれば、停電する対象となる設備の設備数、設備の組み合わせ、電力系統機器の状態にかかわらず、操作手順書が作成される。
【特許文献１】特開平１−４３０２８号公報
【発明の開示】
【発明が解決しようとする課題】
【０００４】
ところで、先に述べた操作手順書の自動作成方法には次の課題がある。変電所や配電所等の電気所に設置されている電力系統機器には、操作に制約が設けられているものがある。この制約は現地に特有のものが多く、例えば、現地に断路器が設置されている場合には、この断路器に対するインターロック条件がある。また、バンクを並用するために行う両バンクの電圧合わせ作業のような、電力系統機器に対する留意事項がある。従来の操作手順書の自動作成方法は、停電する対象となる設備の数、設備の組み合わせ、電力系統機器の状態にかかわらず、操作手順書を作成するが、インターロック条件や留意事項などの制約を操作手順書に反映することができない。
【０００５】
この発明の目的は、前記の課題を解決し、インターロック条件や留意事項などの制約を反映して操作手順書を作成することができる操作手順書作成支援システムおよび操作手順書作成支援方法を提供することにある。
【課題を解決するための手段】
【０００６】
前記の課題を解決するために、請求項１の発明は、電力系統に設けられている設備を停止または復旧するために操作される電力系統機器の操作手順書を作成する操作手順書作成支援システムであって、前記電力系統機器を操作する際の留意事項を表すデータを記憶する記憶手段と、前記設備を停止または復旧するために操作される電力系統機器が指定されると、前記記憶手段から該電力系統機器に対応する留意事項を表すデータを読み出し、該データを用いて該電力系統機器の操作手順と共に該留意事項を前記操作手順書に加える処理手段とを備えることを特徴とする操作手順書作成支援システムである。
【０００７】
請求項１の発明では、電力系統機器を操作する際の留意事項を記憶手段があらかじめ記憶している。こうした状態のときに、設備を停止または復旧するために操作される電力系統機器が指定されると、処理手段は、記憶手段から電力系統機器の留意事項を読み出し、電力系統機器の操作内容と共に留意事項を操作手順書に加える。
【０００８】
請求項２の発明は、請求項１に記載の操作手順書作成支援システムにおいて、前記記憶手段が記憶する留意事項を表すデータは、前記留意事項の内容を表す項目データと、該項目データを前記操作手順書の一連の操作手順に反映するための表示位置を表す表示位置データとを含み、前記処理手段は、前記電力系統機器の操作内容と共に前記留意事項を操作手順書に加える際に、前記表示位置データで指定された表示位置に前記項目データの内容を加えることを特徴とする。
【０００９】
請求項３の発明は、電力系統に設けられている設備を停止または復旧するために操作される電力系統機器の操作手順書を作成する操作手順書作成支援システムであって、前記電力系統機器を操作する際のインターロック条件を表すデータを記憶する記憶手段と、前記設備を停止または復旧するために操作される電力系統機器が指定されると、前記記憶手段から該電力系統機器に対応するインターロック条件を表すデータを読み出し、該データを用いて該電力系統機器の操作内容が該インターロック条件を満足するかどうかを判定する処理手段とを備えることを特徴とする操作手順書作成支援システムである。
【００１０】
請求項３の発明では、電力系統機器を操作する際のインターロック条件を記憶手段があらかじめ記憶している。こうした状態のときに、設備を停止または復旧するために操作される電力系統機器が指定されると、処理手段は、記憶手段から電力系統機器のインターロック条件を読み出し、電力系統機器の操作内容がインターロック条件を満足するかどうかを判定する。
【００１１】
請求項４の発明は、電力系統に設けられている設備を停止または復旧するために操作される電力系統機器の操作手順書を作成する操作手順書作成支援方法であって、前記電力系統機器を操作する際の留意事項を表すデータを記憶し、前記設備を停止または復旧するために操作される電力系統機器が指定されると、前記記憶手段から該電力系統機器に対応する留意事項を表すデータを読み出し、前記読み出したデータを用いて前記電力系統機器の操作手順と共に該留意事項を前記操作手順書に加えることを特徴とする操作手順書作成支援方法である。
【００１２】
請求項５の発明は、電力系統に設けられている設備を停止または復旧するために操作される電力系統機器の操作手順書を作成する操作手順書作成支援方法であって、前記電力系統機器を操作する際のインターロック条件を表すデータを記憶し、前記設備を停止または復旧するために操作される電力系統機器が指定されると、該電力系統機器に対応するインターロック条件を表すデータを読み出し、前記読み出したデータを用いて前記電力系統機器の操作内容が前記インターロック条件を満足するかどうかを判定することを特徴とする操作手順書作成支援方法である。
【発明の効果】
【００１３】
請求項１および請求項４の発明によれば、操作手順書に対して留意事項を自動的に反映させることができる。この結果、重要な確認事項や補助的な操作項目の失念を防ぐことができる。
【００１４】
請求項２の発明によれば、指定された表示位置に留意事項を加えるので、留意事項と操作内容を時系列で順に操作手順書に反映することができる。
【００１５】
請求項３および請求項５の発明によれば、操作手順書を作成する際に、操作される電力系統機器がインターロック条件を満足しているかどうかを確認することができる。この結果、電力系統機器の操作手順の誤りを防ぐことができる。
【発明を実施するための最良の形態】
【００１６】
次に、この発明の実施の形態について、図面を用いて詳しく説明する。この実施の形態による操作手順書作成支援システムは、電力会社の制御所に設けられている。制御所は、電力系統に設けられている設備を停止または復旧する際に、変電所や配電所等の電気所に設置されている電力系統機器の開閉を制御する。この実施の形態では、電力系統に設けられている設備の停止つまり停電を例とする。この実施の形態による操作手順書作成支援システムは、図１に示すように、コンピュータ１０とデータベースサーバ２０とオンライン統合システム３０とを備えている。コンピュータ１０とデータベースサーバ２０とオンライン統合システム３０はＬＡＮ（ローカルエリアネットワーク）１０１によって互いに接続されている。
【００１７】
オンライン統合システム３０は各電気所のデータを記憶している。こうしたデータには、各電気所のスケルトンデータがある。スケルトンデータは、コンピュータ１０が電気所のスケルトンを表示する際に用いられる。スケルトンは、電気所の概要を表すものであり、その一例を図２に示す。電気所には、母線、変圧器、フィーダ、開閉器および遮断器が設けられ、図２に示されるスケルトンでは、母線、変圧器、およびフィーダをノードとし、各ノードにノード番号「１」〜「１１」を付けている。各ノードは停電するための対象（以下、「停電対象」という）である。この実施の形態では、
ノード番号「１」  …「電源側母線」
ノード番号「２」  …「１１０ｋＶ＃１母線」
ノード番号「３」  …「１１０ｋＶ＃２母線」
ノード番号「４」  …「＃１変圧器（Ｔｒ）」
ノード番号「５」  …「６ｋＶ＃１母線」
ノード番号「６」  …「＃２変圧器（Ｔｒ）」
ノード番号「７」  …「６ｋＶ＃２母線」
ノード番号「８」  …「フィーダ＃１（Ｆ１）」
ノード番号「９」  …「フィーダ＃２（Ｆ２）」
ノード番号「１０」…「フィーダ＃３（Ｆ３）」
ノード番号「１１」…「フィーダ＃４（Ｆ４）」
としている。また、電気所の開閉器および遮断器をブランチとし、各ブランチにブランチ番号「１」〜「１２」を付けている。各ブランチは停電対象を停電するために操作される対象（以下、「操作対象」という）である。この実施の形態では、
ブランチ番号「１」  …「＃１０１（遮断器）」
ブランチ番号「２」  …「＃１０２（遮断器）」
ブランチ番号「３」  …「＃１１０（開閉器）」
ブランチ番号「４」  …「＃１２１（開閉器）」
ブランチ番号「５」  …「＃１３１（遮断器）」
ブランチ番号「６」  …「＃１２２（開閉器）」
ブランチ番号「７」  …「＃１３２（遮断器）」
ブランチ番号「８」  …「＃１５０（遮断器）」
ブランチ番号「９」  …「Ｆ１ＣＢ（遮断器）」
ブランチ番号「１０」…「Ｆ２ＣＢ（遮断器）」
ブランチ番号「１１」…「Ｆ３ＣＢ（遮断器）」
ブランチ番号「１２」…「Ｆ４ＣＢ（遮断器）」
としている。この実施の形態では、ノードとブランチにより電気所の概略を示し、操作員により選択されたノードの停電などをする場合に、操作するブランチの操作手順書を作成する。
【００１８】
オンライン統合システム３０が記憶する電気所のデータには、各電気所に設けられている電力系統機器の状態を表す状態データがある。このデータとして、各ブランチの開閉状態を表す開閉データがある。
【００１９】
データベースサーバ２０は、操作手順書の作成に必要な各種のデータをデータベース（図示を省略）に記憶している。操作手順書の作成に必要なデータには、ノード接続関連マトリクスデータがある。ノード接続関連マトリクスデータは１つのノードに関連する別のノードを表すものであり、ノード接続関連マトリクスデータの一例を図３に示す。このノード接続関連マトリクスデータでは、ノードが別のノードに関連し、かつ、接続状態にある場合を示す値（以下、「接続値」という）を「１」で表している。ノードが別のノードに関連し、かつ、分離状態にある場合を値「９９」で表している。また、このノード接続関連マトリクスデータでは、接続方向として、つまり、充電操作が可能な方向として、
要素ｉ→要素ｊ
を基本としている。しかし、図３のドット部分では、双方向の充電操作が可能である。例えば、要素ｉ側のノード番号「７」のノードである「６ｋＶ＃２母線」は、要素ｊ側のノード番号「５」である「６ｋＶ＃１母線」と関連があり、かつ、接続値が「９９」であるので分離状態にあるが、「６ｋＶ＃２母線」から「６ｋＶ＃１母線」に向かう充電操作と共に逆の充電操作が可能である。なお、ノード番号「７」のノードは、ノード番号「１０」の「フィーダ＃３」とノード番号「１１」の「フィーダ＃４」と関連があり、かつ、接続状態にある。
【００２０】
データベースサーバ２０のデータベースに記憶するデータには、停電ノード・開放ブランチ関連マトリクスデータがある。停電ノード・開放ブランチ関連マトリクスデータは、選択されたノードを停電するために、開放するノードを表すものであり、このデータの一例を図４に示す。この停電ノード・開放ブランチ関連マトリクスデータによれば、選択されたノードをノード番号「１」〜「１１」で表し、開放するブランチをブランチ番号「１」〜「１２」で表している。例えば、選択されたノードがノード番号「１」である場合、このノードを停電するために必要なブランチは丸印で示されるブランチ番号「１」と「２」である。さらに、丸印内の数字は開放する順序を表している。つまり、停電ノード・開放ブランチ関連マトリクスデータは、ノード番号「１」のノードを停電するために、ブランチ番号「１」のブランチを開放し、この後、ブランチ番号「２」のブランチを開放することを表している。同様にして、ノード番号「２」〜「１１」についても、ノードを停電するために必要なブランチと開放する順序を表している。
【００２１】
データベースサーバ２０のデータベースに記憶するデータには、停電ノード優先順位設定マトリクスデータがある。停電ノード優先順位設定マトリクスデータは、各ノードを停電する順位を表すものであり、このデータの一例を図５に示す。この停電ノード優先順位設定マトリクスデータによれば、停電対象のノードをノード番号「１」〜「１１」で表し、優先度を順位「１」、「２」、「３」のような番号で表している。各ノードの優先度は黒丸印で設定されている。例えば、ノード番号「１」とノード番号「２」のノードが選択された場合、ノード番号「２」のノードに対する停電の操作はノード番号「１」のノードに対する停電の操作に包括され、ノード番号「２」のノードに対する操作後にノード番号「１」のノードに対する操作を行うことが表されている。なお、優先度の設定はユーザである操作員などによって行われる。ノード番号「３」〜「１１」についても、同様に優先度を表している。
【００２２】
データベースサーバ２０のデータベースに記憶するデータには、ブランチ入り切り状態判定処理用データがある。ブランチ入り切り状態判定処理用データは、各ブランチの入り切り状態を数字で表すものであり、このデータの一例を図６に示す。このブランチ入り切り状態判定処理用データによれば、例えばブランチ番号「１」のブランチについては、
入り状態…値「１」
切り状態…値「２」
であり、ブランチ番号「２」のブランチについては、
入り状態…値「４」
切り状態…値「８」
である。つまり、ブランチ入り切り状態判定処理用データでは、ブランチ「１」〜「１２」の入り切り状態を２ｎの数値で表している。
【００２３】
データベースサーバ２０のデータベースに記憶するデータには、現地インターロック等価設定用データがある。現地インターロック等価設定用データは、操作対象のブランチを操作する前に要求される、別のブランチの状態を表すものであり、このデータの一例を図７に示す。この現地インターロック等価設定用データによれば、操作対象がブランチ番号「１」、「２」であれば、インターロック条件が無いことが表されている。ブランチ番号「３」のブランチについては、インターロック条件が３通りあることを表している。１番目は、ブランチ番号「３」のブランチを「入」にする場合に、前もって、
ブランチ番号「１」…「入」
ブランチ番号「２」…「入」
ブランチ番号「５」…「入」
ブランチ番号「７」…「入」
である必要を表している。また、２番目は、ブランチ番号「３」のブランチを「切」にする場合に、前もって、
ブランチ番号「１」…「切」
ブランチ番号「４」…「切」
である必要を表し、３番目は、ブランチ番号「３」のブランチを「切」にする場合に、前もって、
ブランチ番号「２」…「切」
ブランチ番号「６」…「切」
である必要を表している。ブランチ番号「４」のブランチについては、
ブランチ番号「５」…「切」
である必要を表し、ブランチ番号「６」のブランチについては、
ブランチ番号「７」…「切」
である必要を表している。
【００２４】
データベースサーバ２０のデータベースに記憶するデータには、操作グループ組み合わせデータがある。操作グループ組み合わせデータは、停電対象であるノードや操作対象であるブランチに対する各種の条件や操作グループ番号を表すものであり、このデータの一例を図８に示す。この操作グループ組み合わせデータによれば、停電や操作の対象機器が「６ｋＶ母連ＣＢ」つまりブランチ番号「８」のブランチに対する操作内容が「入」である場合、この操作に要求される条件として、「６ｋＶ＃１母線」の電圧が「有」であり、かつ、「６ｋＶ＃２母線」の電圧が「有」であることを表している。また、このブランチに対応する操作グループ番号が「１」であることを表している。操作グループ番号については後述する。
【００２５】
同様にして、対象機器が「＃１Ｔｒ二次ＣＢ」つまりブランチ番号「５」のブランチに対する操作内容が「切」である場合、この操作に要求される条件として、「６ｋＶ＃１母線」の電圧が「有」であり、かつ、「６ｋＶ＃２母線」の電圧が「有」であることを表し、対応する操作グループ番号が「２」であることを表している。対象機器が「６ｋＶ＃１母線」つまりノード番号「５」のノードに対する操作内容が「停電」である場合、この操作に要求される条件が無いことを表し、対応する操作グループ番号が「３」であることを表している。
【００２６】
データベースサーバ２０のデータベースに記憶するデータには、操作グループデータがある。操作グループデータは、操作グループ組み合わせデータ（図８）の操作グループ番号に対応する一連の操作等を留意事項として表すものであり、このデータの一例を図９に示す。操作グループは、ノードやブランチに対する操作の直前または直後に必要とする一連の操作等を表す。図９の操作グループデータによれば、操作グループ番号「１」の操作目的がブランチ番号「８」の「入」による「バンク並用」を表し、その時の留意事項の内容が、
「＃１  １０Ｇ不使用」
「＃２  １０Ｇ不使用」
「＃１  ＬＲ手動」
「＃２  ＬＲ手動」
「両バンク電圧合わせ」
であることを表している。また、操作種別の項目により、「＃１  １０Ｇ不使用」、「＃２  １０Ｇ不使用」、「＃１  ＬＲ手動」、および「＃２  ＬＲ手動」が「実操作」であることを表し、「両バンク電圧合わせ」が「コメント」であることを表している。さらに、表示位置の項目により、操作グループ番号「１」に対応する操作グループつまり留意事項の表示位置が「操作直前」であることを表している。
【００２７】
同様にして、操作グループ番号「２」の操作目的がブランチ番号「８」の「切」による「バンク並用切」を表し、その時の留意事項の内容が、
「＃１  ＬＲ手動」
「＃１  １０Ｇ不使用」
「＃２  １０Ｇ不使用」
であることを表している。また、操作種別の項目により、「＃１  ＬＲ手動」および「＃１  １０Ｇ不使用」が「実操作」であることを表している。さらに、表示位置の項目により、操作グループ番号「２」に対応する操作グループつまり留意事項の表示位置が「操作直後」であることを表している。
【００２８】
操作グループ番号「３」の操作目的がノード番号「５」の「停電」による「６ｋＶ＃１母線停電」を表し、その時の留意事項の内容が、
「所内電源切換ＳＷ自動中確認」
「所内電源切換ＳＷ手動」
「所内電源切換ＳＷ＃２へ切換」
「所内電源切換ＳＷ自動」
「＃１バンク配電線全逆送実施」
であることを表している。また、操作種別の項目により、「所内電源切換ＳＷ自動中確認」〜「＃１バンク配電線全逆送実施」が「コメント」であることを表している。さらに、表示位置の項目により、操作グループ番号「３」に対応する操作グループつまり留意事項の表示位置が「操作直前」であることを表している。
【００２９】
コンピュータ１０は、制御所の操作員が操作するものであり、この操作には操作手順書の作成などがある。コンピュータ１０は、本体１１と、ディスプレイ１２、１３と、入力装置としてキーボード１４およびマウス１５を備えている。本体１１は、マルチディスプレイにより、ディスプレイ１２とディスプレイ１３に異なるデータを表示する。例えば、本体１１は、操作手順書作成の際に、ディスプレイ１２に電気所のスケルトン表示を行い、ディスプレイ１３に作成中の操作手順書を表示する。
【００３０】
コンピュータ１０の本体１１は、操作手順書作成の際に、インターロック条件が満たされているかどうかを判定する判定処理（以下、「インターロック条件の判定処理」という）を行う。インターロック条件の判定処理を行うために、本体１１は、データベースサーバ２０に記憶されている現地インターロック等価設定用データ（図７）を用いる。つまり、操作対象としてブランチ番号「１」、「２」のブランチが選択されると、本体１１は、現地インターロック等価設定用データ（図７）を用いて、インターロック条件が無いと判断する。また、ブランチ番号「３」のブランチが選択されると、３つのインターロック条件の中から１つを選択する。１番目は、ブランチ番号「３」のブランチを「入」にする場合に前もって、
ブランチ番号「１」…「入」
ブランチ番号「２」…「入」
ブランチ番号「５」…「入」
ブランチ番号「７」…「入」
が満たされているかどうかを判断する。このために、本体１１は、インターロック条件が満たされているかどうかを、データベースサーバ２０に記憶されているブランチ入り切り状態判定処理用データ（図６）を用いる。つまり、本体１１は、このデータを用いて、
ブランチ番号「１」が「入」…値「１」
ブランチ番号「２」が「入」…値「４」
ブランチ番号「５」が「入」…値「２５６」
ブランチ番号「７」が「入」…値「４０９６」
であると判断し、これらの値の合計として、
４３５７＝１＋４＋２５６＋４０９６
をあらかじめ計算する。そして、本体１１は、状態データを用いて算出した、実際のブランチの状態を表す数値と比較し、２つの値が一致したときに、インターロック条件が満たされていると判断する。同様にして、別のブランチ番号が選択された場合も、本体１１はインターロック条件の判定処理を行う。
【００３１】
次に、この実施の形態による電力系統機器の操作手順書作成支援システムを用いた操作手順書作成支援方法について説明する。制御所の操作員がコンピュータ１０のキーボード１４やマウス１５を操作して、操作対象の電気所を指定し、自動モードか手動モードを指定すると共に操作手順書作成の指示を入力する。
【００３２】
操作手順書作成の開始を示す指示が入力されると、コンピュータ１０の本体１１は、図１０〜図１２に示す操作手順書の作成処理を開始する。本体１１は、指定された電気所のスケルトンデータと、この電気所に設置されている電力系統機器の状態データとをオンライン統合システム３０から読み取る（ステップＳ１）。ステップＳ１で読み取られた状態データには、電力系統機器が遮断器や開閉器である場合に、これらの開閉を表す開閉データが含まれる。本体１１は、読み取ったスケルトンデータに電力系統機器の動作データを反映して、表示用のスケルトンを作成し（ステップＳ２）、ディスプレイ１２に電気所のスケルトンを表示する（ステップＳ３）。この実施の形態では、ディスプレイ１２には図２のスケルトン表示を行う。
【００３３】
入力されたモードが自動であると（ステップＳ４）、本体１１は、ディスプレイ１２に表示されたノードの選択を待つ（ステップＳ５）。ステップＳ５での選択例を図１３に示す。操作員がディスプレイ１２においてノード番号「２」の「１１０ｋＶ＃１母線」やノード番号「４」の「＃１変圧器」、ノード番号「５」の「６ｋＶ＃１母線」を個別に選択すると、本体１１はスケルトン表示（図２）の選択部分を強調表示する（図１３（ａ）〜（ｃ））。また、操作員がノード番号「２」の「１１０ｋＶ＃１母線」、ノード番号「４」の「＃１変圧器」、およびノード番号「５」の「６ｋＶ＃１母線」を複数選択すると、本体１１はスケルトン表示（図２）のすべての選択部分を強調表示する（図１３（ｄ））。なお、図１３では図面が複雑になることを防ぐために、ノード番号、ブランチ番号などの記載を省略している。
【００３４】
停電対象のノードがステップＳ５で選択されると、本体１１は、選択された停電対象のノードを記憶する（ステップＳ６）。本体１１は、停電対象の選択が終了したと判断すると（ステップＳ７）、ステップＳ６で記憶したノードを読み出し（ステップＳ８）、読み出したノードから、このノードに関連するノードを判定する（ステップＳ９）。なお、ステップＳ７で停電対象の選択が終了していなければ、本体１１は処理をステップＳ５に戻す。ステップＳ９で本体１１は、データベースサーバ２０に記憶されているノード接続関連マトリクスデータ（図３）を用いて、関連ノードを判定する。例えば、ステップＳ５でノードとして、ノード番号「４」の「＃１変圧器」（図１３（ｂ））が選択されると、本体１１は、ノード接続関連マトリクスデータ（図３）を用いて、この「＃１変圧器」に対してノード番号「５」が関連すると判定する。さらに、ノード番号「４」の「＃１変圧器」と、ノード番号「５」の「６ｋＶ＃１母線」との接続値が「１」であるので、本体１１はこれらが接続状態にあると判定する。
【００３５】
ステップＳ９が終了すると、このステップでの判定結果から、本体１１は停電範囲を判定する（ステップＳ１０）。停電範囲に顧客停電があると（ステップＳ１１）、本体１１は、顧客停電を回避するための対策を選択する（ステップＳ１２）。例えば、ステップＳ５でノードとして、ノード番号「４」の「＃１変圧器」（図１３（ｃ））が選択された場合、本体１１は、スケルトン表示（図２）を用いて、ノード番号「８」の「フィーダ＃１」とノード番号「９」の「フィーダ＃２」とが停電すると判定し、顧客停電を回避するための対策として、ブランチ番号「８」の「常時切」の状態にある「＃１５０」を選択する。
【００３６】
ステップＳ１２の処理が終了すると、本体１１は、操作グループ組み合わせデータ（図８）と操作グループデータ（図９）を用いて、ステップＳ１２の選択結果に対する留意事項の引用処理をする（ステップＳ１３）。ステップＳ１３の引用処理は、次のようにして行われる。例えば、ステップＳ５でノードとして、ノード番号「４」の「＃１変圧器」（図１３（ｃ））が選択された場合、ステップＳ１２でブランチ番号「８」の「＃１５０」の遮断器が選択されると、本体１１は、操作グループ組み合わせデータ（図８）を用い、ブランチ番号「８」に対応して操作グループ番号「１」を選択する。さらに、本体１１は、操作グループデータ（図９）を用い、操作グループ番号「１」に対応する操作項目を選択する。この後、本体１１は、選択した操作項目などを操作手順書に反映し、ステップＳ１３の引用処理を終了する。つまり、操作グループデータ（図９）の表示位置の項目で指示されているように、「＃１５０」の「６ｋＶ母連ＣＢ」の「入」の表示をする前に、本体１１は、図１４に示すように、操作グループ番号「１」で示される留意事項を操作手順書に反映し、この操作手順書をディスプレイ１３に表示する。
【００３７】
ステップＳ１３が終了するか、または、ステップＳ１１で顧客停電が無い場合、本体１１は、ステップＳ８で読み出されたノードを停電するために、開放するブランチを判定する（ステップＳ１４）。ステップＳ１４で、本体１１は、複数のノードが選択された場合に停電ノード優先順位設定マトリクスデータ（図５）を用いて、ノードに優先度を与え、この後、停電ノード・開放ブランチ関連マトリクスデータ（図４）を用いて開放するブランチを判定する。例えば、ステップＳ５でノードとして、ノード番号「４」の「＃１変圧器」（図１３（ｃ））が選択された場合、本体１１は、このノードを停電するために、停電ノード・開放ブランチ関連マトリクスデータ（図４）を用いて、最初に開放するブランチをブランチ番号「５」のブランチ、次に解放するブランチをブランチ番号「４」のブランチと判定する。
【００３８】
ステップＳ１４が終了すると、本体１１は、ステップＳ１４の判定で選出したブランチについて、留意事項の引用処理をする（ステップＳ１５）。本体１１はステップＳ１５の引用処理を次のようにして行う。例えば、ステップＳ１４でブランチ番号「５」の「＃１３１」の遮断器を１番目に開放するブランチと判定したので、本体１１は、操作グループ組み合わせデータ（図８）を用い、ブランチ番号「５」に対応して操作グループ番号「２」を選択する。さらに、本体１１は、操作グループデータ（図９）を用い、操作グループ番号「２」に対応する操作項目を選択する。この後、本体１１は、選択した操作項目などを操作手順書に反映する。つまり、操作グループデータ（図９）で指定された表示位置が「操作直後」であるので、ブランチ番号「５」の遮断器の「切」操作を表示した後に、本体１１は、図１５に示すように、操作グループ番号「２」で示される留意事項を操作手順書に表示する。次に操作するブランチ番号「４」のブランチについても同様に引用処理を行う。
【００３９】
ステップＳ１５の処理が終了すると、本体１１は、作成した操作手順書に対する修正を、ユーザである操作員に対して確認し、修正があると操作手順書に対して追加の編集をする（ステップＳ１６）。ステップＳ１６の処理が終了すると、本体１１は、作成した操作手順書を保存して（ステップＳ１７）、操作手順書の作成処理を終了する。
【００４０】
一方、ステップＳ４でモードが手動であると、本体１１は、ディスプレイ１２に表示されたブランチの選択を待つ（ステップＳ１８）。ブランチはノードを停電にするために操作員によって選択されるものである。ステップＳ１８でブランチが選択されると、本体１１は、選択された操作対象のブランチを記憶して（ステップＳ１９）、操作対象の選択が終了したかを操作員に対して確認する（ステップＳ２０）。選択が終了すると、本体１１は、ステップＳ１９で記憶したブランチを読み出し（ステップＳ２１）、インターロック条件が満たされているかどうかを判定する（ステップＳ２２）。ステップＳ２２で、本体１１は、先に説明したインターロック条件の判定処理を行う。なお、ステップＳ２０で選択が終了していなければ、本体１１は処理をステップＳ１８に戻す。
【００４１】
ステップＳ２２でインターロック条件が満足されていると、本体１１は、操作グループ組み合わせデータ（図８）と操作グループデータ（図９）を用いて、ステップＳ１８で選択したブランチに対する留意事項の引用処理をする（ステップＳ２３）。ステップＳ２３で行われる引用処理はステップＳ１５と同様であるので、説明を省略する。ステップＳ２３の処理が終了すると、本体１１は、作成した操作手順書に対する修正の有無を、操作員対して確認し、修正があると操作手順書に対して追加の編集をする（ステップＳ２４）。ステップＳ２４が終了すると、さらに、本体１１は、作業を終了するかどうかを操作員に対して確認する（ステップＳ２５）。ステップＳ２５の後、本体１１はステップＳ１７で操作手順書を保存して、操作手順書の作成処理を終了する。
【００４２】
一方、ステップＳ２２でインターロック条件が満足されていないと、本体１１は、インターロック条件が満たされていないことを表すメッセージをディスプレイ１３に表示する（ステップＳ２６）。ステップＳ２６の処理が終了すると、本体１１は処理をステップＳ１８に戻す。
【００４３】
ところで、例えば、ステップＳ５でノードとして、ノード番号「５」の「６ｋＶ＃１母線」（図１３（ｃ））が選択されると、本体１１は、ノード接続関連マトリクスデータ（図３）を用い、この「６ｋＶ＃１母線」に対してノード番号「７」の「６ｋＶ＃２母線」が関連し、ノード番号「７」のノードとは分離状態にあると、ステップＳ９で判定する。同様にして、本体１１は、ノード番号「５」に対してノード番号「８」の「フィーダ＃１」とノード番号「９」の「フィーダ＃２」が関連し、これらのノードと接続状態にあると判定する。
【００４４】
この後、本体１１は、ステップＳ１２により、スケルトン表示（図２）を用いて、ノード番号「８」の「フィーダ＃１」とノード番号「９」の「フィーダ＃２」とが停電すると判定し、顧客停電の回避するための対策として、別系統からの電源供給と、ノード番号「５」のノードの停電操作を選択する。
【００４５】
この後、本体１１は、ノード番号「５」のノードの停電操作をステップＳ１２で選択しているので、ステップＳ１３で操作グループ組み合わせデータ（図８）を用い、ノード番号「５」に対応して操作グループ番号「３」を選択する。さらに、本体１１は、操作グループデータ（図９）を用い、操作グループ番号「３」に対応する操作項目を選択する。この後、本体１１は、選択した操作項目などを操作手順書に反映し、ステップＳ１３の引用処理を終了する。つまり、操作グループデータ（図９）の表示位置の項目で指示されているように、ノード番号「５」を「停電」するための操作を表示する前に、本体１１は、図１６に示すように、操作グループ番号「３」で示される留意事項を操作手順書に反映し、この操作手順書をディスプレイ１３に表示する。
【００４６】
この後、ステップＳ５でノード番号「５」のノードが選択されているので、本体１１は、このノードを停電するために、停電ノード・開放ブランチ関連マトリクスデータ（図４）を用いて、
１番目に開放するブランチはブランチ番号「８」（「＃１５０」）
２番目に開放するブランチはブランチ番号「９」（「Ｆ１ＣＢ」）
３番目に開放するブランチはブランチ番号「１０」（「Ｆ２ＣＢ」）
４番目に開放するブランチはブランチ番号「５」（「＃１３１」）
５番目に開放するブランチはブランチ番号「４」（「＃１２１」）
と判定する。
【００４７】
この後、本体１１は、１番目に開放するブランチ番号「８」のブランチに対する留意事項の引用処理をステップＳ１５により行う。本体１１は、操作グループ組み合わせデータ（図８）を用い、ブランチ番号「８」のブランチに対する留意事項が無いと判断すると、１番目に開放するブランチ番号「８」（「＃１５０」）の操作を操作手順書に反映するが、ブランチ番号「８」のブランチは既に開放されているので、この操作を操作手順書に反映しない。２番目に開放するブランチ番号「９」のブランチについて、本体１１は、操作グループ組み合わせデータ（図８）を用い、ブランチ番号「８」のブランチに対する留意事項が無いと判断する。これにより、本体１１は、ブランチ番号「９」の操作のみを操作手順書に反映する。３番目から５番目のブランチについても同様である。こうして、本体１１は図１７に示す操作手順書をディスプレイ１３に表示する。
【００４８】
こうして、この実施の形態により、操作対象を停電するための操作を表す操作手順書に対して、電気所別の留意事項を自動的に反映させることができる。この結果、重要な確認事項や補助的な操作項目の失念を防ぐことができる。また、この実施の形態により、操作手順と留意事項とを時系列的に順に操作手順書に反映することができる。また、この実施の形態により、ノードが選択されると、このノードがインターロック条件を満足しているかどうかを自動的に判断することができる。この結果、操作手順の誤りを防ぐことができる。
【００４９】
以上、この発明の実施の形態を詳述してきたが、具体的な構成はこの実施の形態に限られるものではなく、この発明の要旨を逸脱しない範囲の設計の変更等があっても、この発明に含まれる。例えば、この実施の形態では、ノードの停電の場合を例としたが、停電の回復作業を表す操作手順書に対しても、この発明が適用可能である。この場合には、停電ノード・開放ブランチ関連マトリクスデータ（図４）のように操作順序が決められているものについては、順序を逆にしたデータを用いる。
【図面の簡単な説明】
【００５０】
【図１】この発明の実施の形態による電力系統機器の操作手順書作成支援システムを示す構成図である。
【図２】電気所のスケルトン表示の一例を示す図である。
【図３】ノード接続関連マトリクスデータの一例を示す図である。
【図４】停電ノード・開放ブランチ関連マトリクスデータの一例を示す図である。
【図５】停電ノード優先順位設定マトリクスデータの一例を示す図である。
【図６】ブランチ入り切り状態判定処理用データの一例を示す図である。
【図７】現地インターロック等価設定用データの一例を示す図である。
【図８】操作グループ組み合わせデータの一例を示す図である。
【図９】操作グループデータの一例を示す図である。
【図１０】操作手順書の作成処理を示すフローチャートである。
【図１１】操作手順書の作成処理を示すフローチャートである。
【図１２】操作手順書の作成処理を示すフローチャートである。
【図１３】ノードの選択例を示す図であり、図１３（ａ）は母線の選択、図１３（ｂ）は変圧器の選択、図１３（ｃ）は別の母線の選択、図１３（ｄ）は複数選択を示す図である。
【図１４】留意事項の表示例を示す図である。
【図１５】留意事項の表示例を示す図である。
【図１６】留意事項の表示例を示す図である。
【図１７】留意事項の表示例を示す図である。
【符号の説明】
【００５１】
１０  コンピュータ（処理手段）
２０  データベースサーバ（記憶手段）
３０  オンライン統合システム
【図１】
2009038923.tif 000003
【図２】
2009038923.tif 000004
【図４】
2009038923.tif 000005
【図５】
2009038923.tif 000006
【図６】
2009038923.tif 000007
【図７】
2009038923.tif 000008
【図８】
2009038923.tif 000009
【図９】
2009038923.tif 000010
【図１０】
2009038923.tif 000011
【図１１】
2009038923.tif 000012
【図１２】
2009038923.tif 000013
【図１３】
2009038923.tif 000014
【図１４】
2009038923.tif 000015
【図１５】
2009038923.tif 000016
【図１６】
2009038923.tif 000017
【図１７】
2009038923.tif 000018
【図３】
2009038923.tif 000019